(57)【要約】【課題】点検動作が誤って実行される可能性の低下を図る。【解決手段】操作部材４２は、カバー５に設けられる第１孔５３に挿通される操作部４２０と、本体１０の上下方向に沿って押釦スイッチ４０６Ａの押釦４０６０Ａと対向する押圧部４２１と、押圧部４２１と操作部４２０を連結する連結部４２２とを有している。筐体４１は、操作部４２０の周囲に配置される２つの保護壁４５７を有している。２つの保護壁４５７は、本体１０の上下方向に沿った距離であって、操作部４２０の下端と２つの保護壁４５７のそれぞれの下端との距離Ｄ１を、押圧部４２１が押釦４０６０Ａを押操作するために必要な操作部材４２の移動距離（Ｄ２＋Ｄ３）よりも短くするように構成されている。【選択図】        図１２
2017152342.tif 000002
【特許請求の範囲】
【請求項１】
本体と、光源ユニットと、電池ユニットと、点灯ユニットと、カバーとを備え、
前記本体は、前面が開口した有底筒状に形成され、
前記電池ユニットは、電池を有し、
前記点灯ユニットは、前記電池を充電し、かつ、前記電池から供給される電力で前記光源ユニットを点灯させる点灯装置と、前記点灯装置を収容する筐体と、操作部材とを有し、
前記カバーは、前記光源ユニットから放射される光が通過する窓孔を有し、前記本体の前記前面の開口を開放可能に塞ぐように構成され、
前記点灯装置は、外部電源から供給される電力で前記電池を充電する充電回路と、前記外部電源が停電したときに前記電池から供給される電力で前記光源ユニットを点灯させる点灯回路と、押釦スイッチと、前記押釦スイッチの押釦が押操作されたときに前記点灯回路に前記光源ユニットを点灯させる制御回路とを有し、
前記操作部材は、前記カバーの前面に設けられる孔に挿通される操作部と、前記本体の前後方向に沿って前記押釦スイッチの前記押釦と対向する押圧部と、前記押圧部と前記操作部を連結する連結部とを有し、
前記筐体は、前記操作部の周囲に配置される１つ又は複数の保護壁を有し、
前記１つ又は複数の保護壁は、前記本体の前後方向に沿った距離であって、前記操作部の前端と前記１つ又は複数の保護壁のそれぞれの前端との前記距離を、前記押圧部が前記押釦を押操作するために必要な前記操作部材の移動距離よりも短くするように構成されていることを特徴とする非常用照明装置。
【請求項２】
複数の前記保護壁は、前記本体の前後方向から見て、前記操作部の周囲に間隔を空けて配置されていることを特徴とする請求項１記載の非常用照明装置。
【請求項３】
前記筐体は、２つの前記保護壁を有し、
前記２つの保護壁はそれぞれ、前記本体の前後方向から見て、前記操作部を挟んで対向する位置に配置されていることを特徴とする請求項２記載の非常用照明装置。
【請求項４】
前記２つの保護壁はそれぞれ、前記本体の前後方向から見て前記操作部と反対側の側面が、前方に向かうに連れて前記操作部に近付く向きに傾斜する傾斜面であることを特徴とする請求項３記載の非常用照明装置。
【発明の詳細な説明】
【技術分野】
【０００１】
本発明は、非常用照明装置に関し、より詳細には電力系統の停電時に電池から供給される電力で非常用照明を行う非常用照明装置に関する。
【背景技術】
【０００２】
非常灯などの非常用照明装置は、定期的に点検動作が行われる。点検動作は、たとえば、スイッチが操作されることで電力系統からの電力供給を強制的に遮断して非常用照明を行うという動作である。たとえば、特許文献１に記載されている非常用照明器具は、有底筒状の器具本体、非常用電源ブロック、光源ブロック、電源装置、点検スイッチ部、枠体などを有している。器具本体は、非常用電源ブロック、光源ブロック、電源装置、点検スイッチ部を内部に収容する。非常用電源ブロックは、蓄電池を有している。電源装置は、電力系統から供給される交流電力で非常用電源ブロックの蓄電池を充電する。また、電源装置は、電力系統の停電時に非常用電源ブロックから出力される直流電力で光源ブロックを点灯させる。点検スイッチ部は、操作釦を有している。電源装置は、点検スイッチ部の操作釦が操作されると非常用電源ブロックの充電を中止し、非常用電源ブロックから出力される直流電力を光源ブロックに供給する。枠体は、器具本体の下端部に着脱可能に取り付けられる。枠体は、点検スイッチ部の操作釦と対応する位置に、操作釦が挿通される孔が設けられている。つまり、操作釦は、枠体の孔を通して押操作される。
【先行技術文献】
【特許文献】
【０００３】
【特許文献１】特開２０１４−３２８６８号公報
【発明の概要】
【発明が解決しようとする課題】
【０００４】
ところで、特許文献１記載の非常用照明器具は、器具本体に枠体が取り付けられる際、枠体が操作釦に接触してしまい、点検スイッチ部が誤って電源装置に点検動作を行わせてしまう可能性がある。
【０００５】
本発明の目的は、点検動作が誤って実行される可能性の低下を図ることができる非常用照明装置の提供を目的とする。
【課題を解決するための手段】
【０００６】
本発明の一態様に係る非常用照明装置は、本体と、光源ユニットと、電池ユニットと、点灯ユニットと、カバーとを備えている。前記本体は、前面が開口した有底筒状に形成されている。前記電池ユニットは、電池を有している。前記点灯ユニットは、前記電池を充電し、かつ、前記電池から供給される電力で前記光源ユニットを点灯させる点灯装置と、前記点灯装置を収容する筐体と、操作部材とを有している。前記カバーは、前記光源ユニットから放射される光が通過する窓孔を有し、前記本体の前記前面の開口を開放可能に塞ぐように構成されている。前記点灯装置は、外部電源から供給される電力で前記電池を充電する充電回路と、前記外部電源が停電したときに前記電池から供給される電力で前記光源ユニットを点灯させる点灯回路とを有している。また、前記点灯装置は、押釦スイッチと、前記押釦スイッチの押釦が押操作されたときに前記点灯回路に前記光源ユニットを点灯させる制御回路とを有している。前記操作部材は、前記カバーの前面に設けられる孔に挿通される操作部と、前記本体の前後方向に沿って前記押釦スイッチの前記押釦と対向する押圧部と、前記押圧部と前記操作部を連結する連結部とを有している。前記筐体は、前記操作部の周囲に配置される１つ又は複数の保護壁を有している。前記１つ又は複数の保護壁は、前記操作部の前端と前記１つ又は複数の保護壁のそれぞれの前端との距離を、前記押圧部が前記押釦を押操作するために必要な前記操作部材の移動距離よりも短くするように構成されている。前記距離は、前記本体の前後方向に沿った距離である。
【発明の効果】
【０００７】
本発明の一態様に係る非常用照明装置は、点検動作が誤って実行される可能性の低下を図ることができるという効果がある。
【図面の簡単な説明】
【０００８】
【図１】図１は、本発明の一実施形態に係る非常用照明装置の分解斜視図である。
【図２】図２は、同上の非常用照明装置における光源ユニットの断面図である。
【図３】図３Ａは、同上の非常用照明装置の背面図である。図３Ｂは、同上の非常用照明装置の正面図である。図３Ｃは、同上の非常用照明装置の平面図である。
【図４】図４は、同上の非常用照明装置のカバーを取り外した状態の正面図である。
【図５】図５は、同上の非常用照明装置の要部の断面図である。
【図６】図６は、同上の非常用照明装置における点灯装置の回路ブロック図である。
【図７】図７は、同上の非常用照明装置における点灯ユニットの正面図である。
【図８】図８は、同上の非常用照明装置における点灯ユニットの断面図である。
【図９】図９は、同上の非常用照明装置における点灯ユニットの分解斜視図である。
【図１０】図１０は、同上の非常用照明装置における点灯ユニットの断面図である。
【図１１】図１１は、同上の非常用照明装置における操作部材と支持部の斜視図である。
【図１２】図１２は、同上の非常用照明装置における点灯ユニットの要部の断面図である。
【図１３】図１３Ａは、同上の非常用照明装置における保護壁の変形例１を示す斜視図である。図１３Ｂは、同上の非常用照明装置における保護壁の変形例２を示す斜視図である。図１３Ｃは、同上の非常用照明装置における保護壁の変形例３を示す斜視図である。
【図１４】図１４は、本発明の別の実施形態に係る非常用照明装置の斜視図である。
【発明を実施するための形態】
【０００９】
本発明の一実施形態に係る非常用照明装置１Ｘ（以下、非常用照明装置１Ｘと略す）について、図面を参照して詳細に説明する。非常用照明装置１Ｘは、電池内蔵型の非常灯（非常用照明器具）として構成されている。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
非常用照明装置１Ｘは、図１に示すように、本体１０と、光源ユニット２と、電池ユニット３と、点灯ユニット４と、カバー５とを備えている。非常用照明装置１Ｘは、さらに、支持具６並びに取付ばね７を備え、建物の通路や廊下などの天井に埋込配設されることが好ましい。ただし、以下の説明では、特に断りのない限り、図１において非常用照明装置１Ｘの上下、左右、前後の各方向を規定する。
【００１１】
光源ユニット２は、図２に示すように、ＬＥＤモジュール２０、放熱部材２１、レンズブロック２２、取付部材２３、押さえ部材２４、熱伝導シート２５などを備えることが好ましい。ＬＥＤモジュール２０は、矩形平板状の実装基板２００の実装面（図２における下面）の中央に１個又は複数個のＬＥＤチップ（固体発光素子）が実装される。これらのＬＥＤチップは、例えば、青色光を放射する青色発光ダイオードであることが好ましい。また、ＬＥＤチップを含む実装基板２００の実装面は、ＬＥＤチップから放射される青色光を波長変換する蛍光物質が混入された封止樹脂で円盤状に被われる。さらに、実装基板２００の対角の位置にある一対の角部の下面には、カソードの電極とアノードの電極が形成されている。なお、ＬＥＤモジュール２０は、アノードの電極とカソードの電極に直流電圧が印加されることにより、白色の照明光を放射するように構成される。
【００１２】
熱伝導シート２５は、高熱伝導率、電気絶縁性及び難燃性を有するシリコーン樹脂製のシート材で構成されることが好ましい。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００１３】
押さえ部材２４は、例えば、ポリカーボネート樹脂などの合成樹脂材料によって、概ね円盤状に形成されることが好ましい。押さえ部材２４は、中央にほぼ矩形の孔２４０を有する。また、押さえ部材２４は、孔２４０の４つの辺の中央の位置に、４つの押さえ突起２４２がそれぞれ形成されている。また、押さえ部材２４は、角筒状のプラグコネクタ２６を有する（図２参照）。プラグコネクタ２６は、一対のコンタクトと、これら一対のコンタクトを電気的に絶縁した状態で支持するコネクタハウジング２６０とを有する。片方のコンタクトは、電線を介してＬＥＤモジュール２０のカソード電極と電気的に接続される。もう片方のコンタクトは、別の電線を介してＬＥＤモジュール２０のアノード電極と電気的に接続される。
【００１４】
レンズブロック２２は、例えば、ガラス製であって、概ね円錐台形状のレンズ部２２０と、レンズ部２２０の周縁から外向きに突出する円環状の外鍔部２２１とを有することが好ましい（図１及び図２参照）。レンズ部２２０は、図２に示すように、概ね回転放物面形状の入射面２２００が形成されている。レンズ部２２０は、入射面２２００に入射する光（ＬＥＤモジュール２０から放射される照明光）の配光を制御するように構成される。
【００１５】
取付部材２３は、例えば、ポリカーボネート樹脂などの合成樹脂材料によって、概ね楕円形状に形成されることが好ましい（図１参照）。取付部材２３は、上下方向から見た形状が円形である凹所２３０と、凹所２３０の底に開口する円形の窓孔２３１とを有している（図２参照）。また、取付部材２３は、長軸方向の両端に、それぞれねじ挿通孔を有している。
【００１６】
放熱部材２１は、図１及び図２に示すように、結合部２１０、固定部２１１及び突板部２１２を有している。結合部２１０は、左右方向を長手方向とする平板状に形成されている。結合部２１０の下面における左右方向の中央から右寄り（図２では左寄り）の位置に、ＬＥＤモジュールやレンズブロック２２が取付部材２３によって取り付けられている。結合部２１０は、２つのねじ孔を有している。取付部材２３は、２つのねじ挿通孔にそれぞれ挿通された２本のねじ２３２が、結合部２１０の２つのねじ孔にそれぞれねじ込まれることにより、結合部２１０に固定される（図１及び図２参照）。また、結合部２１０は、２つの丸孔２１００と、１つの角孔２１０１とを有している。２つの丸孔２１００は、前後方向に一列に並ぶように設けられることが好ましい。角孔２１０１は、２つの丸孔２１００の間に設けられることが好ましい。固定部２１１は、概ね矩形の平板状であって、結合部２１０の左側（図２では右側）の縁から上向きに起立するように結合部２１０と一体に形成されている。また、固定部２１１は、前寄りの上端の近くにねじ孔２１１０が設けられている。さらに、固定部２１１は、前後方向の中央に、上端が開放された矩形の縦溝２１１１が形成されている。突板部２１２は、左右方向から見て概ねＬ字形状に形成されている（図１参照）。突板部２１２は、結合部２１０の右側（図２では左側）の縁から上向きに起立するように結合部２１０と一体に形成されている。なお、結合部２１０、固定部２１１及び突板部２１２は、たとえば、アルミ又はアルミ合金製の板材によって一体に形成されることが好ましい。
【００１７】
本体１０は、下面が開口した有底筒状に形成される。また、本体１０は、１２個の平坦な壁を有する角筒状に形成されている。１２個の壁のうち、左側に位置する平坦な壁（平坦壁１５）に、ねじ挿通孔１５０が設けられることが好ましい（図１参照）。さらに、本体１０の１２個の壁のそれぞれの下端縁には、外向きに突出する複数のフランジ片１００が形成されている（図１、図３Ａ及び図４参照）。
【００１８】
本体１０の左右両側の平坦壁１５には、それぞれ支持具６が１つずつ取り付けられている（図３Ａ及び図３Ｃ参照）。これら一対の支持具６は、長尺の板ばね状に形成されることが好ましい。それぞれの支持具６は、長手方向の一端部で本体１０の平坦壁１５に固定され、かつ、長手方向の他端部が本体１０の底板１１に近付く向き（上向き）に撓み可能に構成されている。つまり、本体１０は、埋込孔内に挿入される一対の支持具６と、本体１０の下端面に設けられる複数のフランジ片１００との間で天井材を挟み込むようにして天井材に支持される。
【００１９】
カバー５は、本体１０の外径（複数のフランジ片１００の先端縁の外径）よりも大きい円盤状に形成され、中央に円形の窓孔５０が設けられている（図１及び図３Ｂ参照）。この窓孔５０には、光源ユニット２のレンズ部２２０が挿通される。カバー５は、本体１０の前面の開口を開放可能に塞ぐように構成されている。カバー５の上面における前端及び後端には、それぞれ取付ばね７が取り付けられている。これら一対の取付ばね７は、本体１０の内周面の前側及び後側にそれぞれ一対ずつ設けられる挿通溝１３に抜き差し可能に挿通される。つまり、カバー５は、一対の取付ばね７がそれぞれ一対の挿通溝１３に挿通されることにより、本体１０の下面を閉塞する状態で本体１０に保持される（図３Ｃ参照）。また、カバー５は、窓孔５０の近傍に４つの孔（第１孔５３、第２孔５４、第３孔５５、第４孔５６）が設けられている（図１及び図３Ｂ参照）。なお、これら４つの孔５３〜５６は、縦横２列かつ等間隔に並べて設けられることが好ましい。
【００２０】
電池ユニット３は、複数本の電池３０と、これら複数本の電池３０を収容する電池ケース３１とを有する（図１及び図４参照）。電池３０は、例えば、円筒形のニッカド電池、あるいは、円筒形のニッケル水素電池などの２次電池が好ましい。電池ケース３１は、上下両側の底面が馬蹄形（Ｕ字形）である筒状に形成されることが好ましい。複数本の電池３０は、軸方向を上下方向とし、径方向に沿って一列に並ぶように電池ケース３１内に収容されることが好ましい。
【００２１】
電池ケース３１の下側の前端部には、点灯ユニット４と電気的に接続されるコネクタ部３２が設けられている（図１参照）。コネクタ部３２は、一対のコンタクトと、これら一対のコンタクトを電気的に絶縁した状態で支持するコネクタハウジング３２０とを有する。片方のコンタクトは、電池ケース３１内で電気的に直列接続されている複数本の電池３０のうちの一方の端の電池３０の正極と電気的に接続される。もう片方のコンタクトは、他方の端の電池３０の負極と電気的に接続される。
【００２２】
また、電池ケース３１の下側の後端部には、第１抜け止め部３３と第２抜け止め部３４がそれぞれ設けられている（図１参照）。第１抜け止め部３３は、上端が電池ケース３１に固定されて左右方向に撓み可能に構成される第１ばね片３３０と、第１ばね片３３０の下端寄りの左側面に設けられる第１突起３３１とを有する。第１突起３３１は、下に向かって第１ばね片３３０から離れる向きに傾斜する斜面を有した三角柱状に形成されることが好ましい（図５参照）。また、第２抜け止め部３４は、上端が電池ケース３１に固定されて前後方向に撓み可能に構成される第２ばね片３４０と、第２ばね片３４０の下端寄りの前面に設けられる第２突起３４１とを有する。第２突起３４１は、下に向かって第２ばね片３４０から離れる向きに傾斜する斜面を有した三角柱状に形成されることが好ましい（図１参照）。
【００２３】
点灯ユニット４は、点灯装置４０と、点灯装置４０を収容する筐体４１とを有する。点灯装置４０の回路ブロック図を図６に示す。点灯装置４０は、直流電源回路４００、充電回路４０１、点灯回路４０２、停電検出回路４０３、制御回路４０４、モニタランプ４０５、押釦スイッチ４０６、受信部４０７などを備えることが好ましい。
【００２４】
直流電源回路４００は、例えば、リンギングチョークコンバータなどの自励型のスイッチング電源回路で構成され、外部電源（例えば、商用の電力系統）９から供給される交流電圧を、当該交流電圧の実効値よりも低い直流電圧に変換することが好ましい。充電回路４０１は、外部電源９から給電されているときに動作し、直流電源回路４００から電池ユニット３へ一定の充電電流を流すように構成されることが好ましい。点灯回路４０２は、電池ユニット３から供給される直流電流を定電流化して光源ユニット２に供給するように構成されることが好ましい。停電検出回路４０３は、直流電源回路４００の出力電圧から外部電源９の停電を検出して制御回路４０４に通知するように構成される。モニタランプ４０５は、例えば、緑色光を放射する発光ダイオードで構成され、充電回路４０１から電池ユニット３に供給される充電電流によって発光させられることが好ましい。受信部４０７は、赤外線を通信媒体とする無線信号を受信し、受信した無線信号から送信フレームを復調して制御回路４０４に渡すように構成される。この無線信号は、定期点検の作業を行う作業者に操作されるワイヤレス送信器から送信される。なお、定期点検は、法令で定められた期間ごとに実施され、点灯回路４０２を強制的に動作させて光源ユニット２が規定の時間以上、点灯状態を維持することを確認することを目的として行われる。
【００２５】
制御回路４０４は、停電検出回路４０３が停電を検出していないとき、充電回路４０１を動作させ、かつ、点灯回路４０２を停止させるように構成される。また、制御回路４０４は、停電検出回路４０３が停電を検出しているとき、充電回路４０１を停止させ、かつ、点灯回路４０２を動作させるように構成される。さらに、制御回路４０４は、一方の押釦スイッチ４０６Ｂが押操作された場合、あるいは、受信部４０７から送信フレームを受け取った場合、充電回路４０１を停止させ、かつ、点灯回路４０２を動作させて点検動作を行うように構成される。ただし、制御回路４０４は、他方の押釦スイッチ４０６Ａが押操作された場合は、点灯回路４０２を数秒間動作させた後、再度、点灯回路４０２を停止させ、かつ、充電回路４０１を動作させるように構成されることが好ましい。
【００２６】
点灯装置４０は、プリント配線板からなる回路基板４４の第１面４４０に実装される種々の電子部品４４１と、回路基板４４の第２面（第１面４４０の裏面）に形成される導体とで各回路を実現するように構成される（図８〜図１０参照）。モニタランプ４０５、受信部４０７及び２つの押釦スイッチ４０６Ａ、４０６Ｂは、いずれも回路基板４４の第１面４４０における下端近くに実装される。ただし、２つの押釦スイッチ４０６Ａ、４０６Ｂは、いずれも押釦４０６０Ａ、４０６０Ｂを下に向けて実装される。また、モニタランプ４０５は、一方の押釦スイッチ４０６Ａの押釦４０６０Ａの下に実装される。さらに、受信部４０７は、他方の押釦スイッチ４０６Ｂの押釦４０６０Ｂの下に実装される（図９及び図１０参照）。なお、回路基板４４の第１面における上端部には、電源入力用の端子台４４２が実装されている。
【００２７】
点灯ユニット４の筐体４１は、図７〜図１０に示すように、第１筐体４１３と第２筐体４１４が結合されて箱状に形成されることが好ましい。第１筐体４１３は、一面（左側面）が開放された矩形の箱状に形成されることが好ましい。また、第１筐体４１３の外側の底面（右側面）には、速結式の端子台４３が取り付けられる取付台４１３０が一体に形成されることが好ましい（図３Ｃ、図７及び図１０参照）。
【００２８】
第２筐体４１４は、一面（右側面）が開放された箱状に形成され、開放端を、第１筐体４１３の開放端と突き合わすようにして第１筐体４１３に結合されることが好ましい。ただし、第２筐体４１４の上面及び下面は、１つの辺（第１辺）が対向する他の１つの辺（第２辺）よりも長く、かつ、第１辺の両側の２つの辺（第３辺及び第４辺）が平行となる六角形に形成されることが好ましい（図７参照）。さらに、筐体４１（第２筐体４１４）の下面には、３つの開口部４１０Ａ、４１０Ｂ、４１０Ｃが前後方向に一列に並ぶように設けられている。前端の開口部４１０Ａの奥（上）には、回路基板４４の第１面４４０に実装された受け側のコネクタ４０９が配置される（図７参照）。このコネクタ４０９は、電池ユニット３のコネクタ部３２と挿抜可能かつ電気的に接続される。また、中央の開口部４１０Ｂの奥（上）には、回路基板４４の第１面４４０に実装されたレセプタクルコネクタ４０８が配置される。このレセプタクルコネクタ４０８は、光源ユニット２のプラグコネクタ２６と挿抜可能かつ電気的に接続される。さらに、後端の開口部４１０Ｃの奥（上）には、モニタランプ４０５、２つの押釦スイッチ４０６Ａ、４０６Ｂ及び受信部４０７が配置される（図７〜図９参照）。
【００２９】
また、第２筐体４１４の下端における開口部４１０Ｃの左側（図９では右側）に、２つの操作部材４２を移動可能に支持する支持部４５が、第２筐体４１４と一体に形成されている。操作部材４２は、円柱状の操作部４２０と、角柱状の押圧部４２１と、操作部４２０と押圧部４２１を連結する連結部４２２とを有する（図９参照）。連結部４２２は、操作部４２０の長手方向と押圧部４２１の長手方向を交差（たとえば、直交）させるように、操作部４２０の長手方向のほぼ中央に押圧部４２１を連結している。なお、操作部材４２の操作部４２０、押圧部４２１並びに連結部４２２は、合成樹脂成形体として一体に形成されることが好ましい。
【００３０】
支持部４５は、図１１に示すように、第２筐体４１４の下面から下方へ突出する突台４５０と、突台４５０の上方に配置された支持壁４５１とを有する。突台４５０は、概ね角柱状に形成されている。突台４５０は、２つの収納溝４５２を有している。２つの収納溝４５２は、半円筒面状に形成されている。また、これら２つの収納溝４５２は、突台４５０の下端に位置する底壁４５３に設けられた２つの挿通孔４５３０、４５３１とそれぞれ繋がっている（図８〜図１１参照）。また、突台４５０は、２つの挟み部４５４を有している。２つの挟み部４５４は、それぞれ一対の挟み片４５４０からなる。一対の挟み片４５４０は、弧状に湾曲しており、収納溝４５２を挟んで対向するように配置されている（図１１参照）。つまり、２つの挟み部４５４は、２つの収納溝４５２にそれぞれ収納された２つの操作部材４２の操作部４２０を、一対の挟み片４５４０により径方向からそれぞれ挟み込むように構成されている（図１１参照）。なお、２つの操作部材４２はそれぞれ、２つの収納溝４５２に収納されている状態において、２つの収納溝４５２と一対一に対応する挿通孔４５３０、４５３１にそれぞれの操作部４２０の先端（下端）が挿通されている。また、２つの操作部４２０の後端（上端）は、支持壁４５１に設けられている、半円筒面状の２つの支持溝４５１０にそれぞれ支持されている。つまり、２つの操作部材４２はそれぞれ、一対一に対応する２つの収納溝４５２の長手方向（上下方向）に沿って移動可能な状態で支持部４５に支持されている。なお、操作部材４２は、突台４５０における収納溝４５２の外側に設けられた壁４５５に押圧部４２１が当たることによって、下向きの移動範囲が規制されている（図１１参照）。ここで、２つの操作部材４２は、図７に示すように、筐体４１の下から見て、モニタランプ４０５及び受信部４０７と重ならないように支持部４５に支持されている。そして、一方の押釦スイッチ４０６Ａは、一方の操作部材４２が上向きに移動したときに押圧部４２１に押釦４０６０Ａが押される。また、他方の押釦スイッチ４０６Ｂは、他方の操作部材４２が上向きに移動したときに押圧部４２１に押釦４０６０Ｂが押される。なお、操作部材４２は、操作部４２０が上向きに押されなくなれば、押釦スイッチ４０６Ａ、４０６Ｂの押釦４０６０Ａ、４０６０Ｂの復帰力（ばね力）によって、元の位置（押圧部４２１が壁４５５と当たる位置）に戻る（図１０参照）。
【００３１】
ところで、底壁４５３の下面において、片方の押釦スイッチ４０６Ａを操作するための操作部材４２と対応する挿通孔４５３０の周囲に、円筒形の突部４５６が下向きに突出するように設けられている（図１１参照）。さらに、突部４５６の下面から、２つの保護壁４５７が下向きに突出している。これら２つの保護壁４５７は同一の形状に形成されている。また、これら２つの保護壁４５７は、挿通孔４５３０に挿通されている操作部４２０を挟んで対向する位置に配置されることが好ましい。保護壁４５７は、前後方向から見て、下端に向かって先細りする形状に形成されることが好ましい。また、保護壁４５７は、操作部４２０と対向する面が平坦面とされることが好ましい。さらに、２つの保護壁４５７はそれぞれ、下から見て操作部４２０と反対側の側面が、下方に向かうに連れて操作部４２０に近付く向きに傾斜する傾斜面であることが好ましい（図１１及び図１２参照）。なお、２つの保護壁４５７を含めた突部４５６の直径は、カバー５の第１孔５３の直径よりも小さくされていることが好ましい。
【００３２】
ここで、上下方向に沿った、保護壁４５７の先端（下端）から操作部４２０の先端（下端）までの距離をＤ１とする。また、上下方向に沿った、壁４５５に当たった状態の押圧部４２１の後端（上端）から押釦スイッチ４０６Ａの押釦４０６０Ａの先端（下端）までの距離をＤ２とする。さらに、押釦スイッチ４０６Ａにおいて、押釦４０６０Ａが押されてから接点が閉じるまでの押釦４０６０Ａの移動距離をＤ３とする（図１２参照）。２つの保護壁４５７はそれぞれ、距離Ｄ１＜Ｄ２＋Ｄ３の関係を満たすように構成されている。つまり、操作部材４２は、操作部４２０の先端が保護壁４５７の先端よりも奥（上）に移動しなければ、押釦スイッチ４０６Ａをオンする（接点を閉じる）ことができない。
【００３３】
点灯ユニット４は、図１及び図４に示すように、本体１０内の左寄りの空間に収容される。そして、点灯ユニット４は、本体１０の底板１１に設けられている固定片１１０に筐体４１が固定されることで本体１０に取り付けられている。さらに詳しく説明すると、固定片１１０には２つの孔１１００が設けられ、これら２つの孔１１００に、第２筐体４１４の上面から突出する２つの突起４１４０がそれぞれ挿通される。そして、それぞれの孔１１００に挿通された２つの突起４１４０が溶融されることにより、筐体４１が固定片１１０にかしめ固定される（図３Ａ参照）。ただし、筐体４１の取付台４１３０に取り付けれた速結式の端子台４３は、図３Ｃに示すように、本体１０の底板１１に設けられる段差部１１１の孔１１１０を通して、差込口４３０を本体１０の外に露出させることが好ましい。つまり、これらの差込口４３０に電源線の導体が差し込まれることにより、端子台４３と回路基板４４に実装された端子台４４２とを介して、点灯装置４０が外部電源９と電気的に接続される。
【００３４】
次に、非常用照明装置１Ｘの組立手順を説明する。ただし、一対の支持具６は、既に本体１０に取り付けられている。
【００３５】
まず、組立作業を行う作業者は、本体１０内に点灯ユニット４を収容し、本体１０の底板１１の固定片１１０に点灯ユニット４の筐体４１をかしめ固定する（図１参照）。それから、作業者は、光源ユニット２を点灯ユニット４の筐体４１に取り付ける。ここで、筐体４１の下面には、放熱部材２１の２つの丸孔２１００にそれぞれ個別に挿通される２つの突起４１１と、放熱部材２１の角孔２１０１に挿通される引掛部４１２とが下向きに突設されている。作業者は、放熱部材２１の固定部２１１に設けられている２つの丸孔２１００に２つの突起４１１を個別に挿通し、かつ、角孔２１０１に挿通した引掛部４１２を角孔２１０１の周囲に引っ掛けて、光源ユニット２を筐体４１に仮止めする。このとき、作業者は、本体１０の左側の平坦壁１５と点灯ユニット４の間に放熱部材２１の固定部２１１を差し込み、かつ、電池ケース３１の内側（左側）に突板部２１２を配置する。なお、光源ユニット２のプラグコネクタ２６は、筐体４１の中央の開口部４１０Ｂの奥に配置されているレセプタクルコネクタ４０８と電気的かつ機械的に接続される。そして、作業者は、本体１０の外から平坦壁１５のねじ挿通孔１５０にねじ１５１を挿通し、放熱部材２１の固定部２１１のねじ孔２１１０にねじ１５１をねじ込む。その結果、放熱部材２１は、固定部２１１が本体１０にねじ止めされることにより、本体１０と熱的及び機械的に結合される。
【００３６】
続いて、作業者は、本体１０内に電池ユニット３を収容する。電池ユニット３のコネクタ部３２は、電池ユニット３が本体１０内に収容される際に、点灯ユニット４の筐体４１に設けられている開口部４１０Ａを通して、点灯ユニット４の受け側のコネクタ４０９と電気的かつ機械的に接続される。ここで、筐体４１の右側面の後端寄りの部位には、凹部４１５が設けられている（図５参照）。そして、電池ユニット３の第１抜け止め部３３の第１突起３３１が筐体４１の凹部４１５に引っ掛かることにより、電池ユニット３が点灯ユニット４の筐体４１に取り付けられる。一方、電池ユニット３を本体１０から取り外す場合、作業者は、最初に第１抜け止め部３３の第１ばね片３３０を指で摘まんで撓ませ、第１突起３３１と凹部４１５の引っ掛かりを解除する。そうすると、電池ユニット３は、第２抜け止め部３４の第２突起３４１が放熱部材２１の結合部２１０に引っ掛かる位置まで引き下ろされる。そこから、作業者が第２ばね片３４０を指で摘まんで撓ませ、第２突起３４１と結合部２１０の引っ掛かりを解除すれば、電池ユニット３を本体１０から引き抜いて取り外すことができる。
【００３７】
最後に、作業者は、一対の取付ばね７を本体１０の内周面の前側及び後側にそれぞれ一対ずつ設けられる挿通溝１３に挿通することにより、本体１０の下面を閉塞するようにカバー５を本体１０に保持させる（図３Ｃ参照）。以上のようにして、非常用照明装置１Ｘの組立が完了する。
【００３８】
ここで、作業者がカバー５を本体１０に取り付ける際、点灯ユニット４の操作部材４２（の操作部４２０）の先端（下端）にカバー５を当ててしまい、操作部材４２を上向きに移動させてしまう可能性がある。この場合、カバー５に押された操作部材４２の移動距離は、カバー５が保護壁４５７の先端（下端）に接触するまでの距離Ｄ１に制限される。このようにカバー５に押された操作部材４２の移動距離が距離Ｄ１に制限されれば、操作部材４２の押圧部４２１に押された押釦４０６０Ａが接点を閉じる位置まで移動しない。その結果、押釦スイッチ４０６Ａがオンされることがなく、点灯ユニット４が誤って点検動作を実行することが回避される。
【００３９】
さらに、２つの保護壁４５７は、操作部材４２の操作部４２０とともに、カバー５の第１孔５３に挿通されてカバー５の下面よりも下に飛び出している（図１２参照）。したがって、本体１０にカバー５が取り付けられた状態において、不用意に操作部材４２の操作部４２０が押されても、操作部材４２が保護壁４５７の先端（下端）よりも奥（上）まで移動し難いので、点灯ユニット４の誤動作を防ぐことができる。なお、点検作業を行う作業者は、指先あるいは筆記具の先端部分などで操作部４２０を押して操作部材４２を保護壁４５７の先端よりも奥まで移動させれば、押釦スイッチ４０６Ａをオンして点灯ユニット４に点検動作を実行させることができる。
【００４０】
ところで、保護壁４５７は、図１３Ａに示すように、円筒形状に形成されて操作部４２０の先端部分を全周に渡って囲むように構成されても構わない（変形例１）。変形例１の保護壁４５７は、操作部材４２の誤操作をより確実に防止できるが、操作部材４２の操作性を低下させてしまう可能性がある。あるいは、図１３Ｂに示すように、１つの保護壁４５７のみが設けられてもよい（変形例２）。この場合は、２つの保護壁４５７が設けられる場合と比較して、操作部材４２の誤操作が生じ易くなるが、操作部材４２の操作性の向上を図ることができる。さらに、２つの保護壁４５７は、図１３Ｃに示すように、柱状（円柱状や角柱状）に形成されてもよい（変形例３）。
【００４１】
ここで、複数の保護壁４５７が設けられる場合、これら複数の保護壁４５７は、上下方向から見て、操作部４２０の周囲に間隔を空けて配置されることが好ましい。つまり、複数の保護壁４５７の間に間隔（隙間）が形成されることによって、操作部４２０の操作性の向上を図ることができる。また、２つの保護壁４５７が設けられる場合、これら２つの保護壁４５７は、上下方向から見て、操作部４２０を挟んで対向する位置に配置されていることが好ましい。２つの保護壁４５７が操作部４２０を挟んで対向する位置に配置されれば、操作部材４２の誤操作が更に生じ難くなる。さらに、２つの保護壁４５７の側面（操作部４２０と反対側の側面）が、下方に向かうに連れて操作部４２０に近付く向きに傾斜する傾斜面とされることが好ましい。２つの保護壁４５７の側面が先細りの傾斜面とされれば、本体１０にカバー５が取り付けられる際、カバー５が保護壁４５７の先端面（下端面）に当たり難くなる。仮に、カバー５が保護壁４５７の先端面に当たっても、第１孔５３の縁が保護壁４５７の側面（傾斜面）に誘導され、保護壁４５７と操作部４２０が第１孔５３にスムーズに挿通される。その結果、カバー５が操作部４２０と接触することによる操作部材４２の誤操作が更に生じ難くなる。
【００４２】
ところで、非常用照明装置は埋込型の非常灯に限定されず、天井に直付けされる直付け型の非常灯であっても構わない。
【００４３】
直付け型の非常用照明装置１Ｙは、図１４に示すように、円盤状の本体と、円錐台形状のカバー５とを有する。本体は、天井にねじ止めされて直付けされる。カバー５の底板５１の中央に窓孔５０が設けられ、光源ユニット２のレンズ部２２０が窓孔５０に挿通される。また、底板５１には、４つの孔５３〜５５が設けられている。そして、第１孔５３に、操作部材４２の操作部４２０とともに一対の保護壁４５７が挿通されている。
【００４４】
上述のように非常用照明装置１Ｘ、１Ｙは、本体１０と、光源ユニット２と、電池ユニット３と、点灯ユニット４と、カバー５とを備えている。本体１０は、前面（下面）が開口した有底筒状に形成されている。電池ユニット３は、電池３０を有している。点灯ユニット４は、電池３０を充電し、かつ、電池３０から供給される電力で光源ユニット２を点灯させる点灯装置４０と、点灯装置４０を収容する筐体４１と、操作部材４２とを有している。カバー５は、光源ユニット２から放射される光が通過する窓孔５０を有している。カバー５は、本体１０の前面（下面）の開口を開放可能に塞ぐように構成されている。点灯装置４０は、外部電源９から供給される電力で電池３０を充電する充電回路４０１と、外部電源９が停電したときに電池３０から供給される電力で光源ユニット２を点灯させる点灯回路４０２とを有している。さらに、点灯装置４０は、押釦スイッチ４０６Ａと、押釦スイッチ４０６Ａの押釦４０６０Ａが押操作されたときに点灯回路４０２に光源ユニット２を点灯させる制御回路４０４とを有している。操作部材４２は、カバー５の前面に設けられる孔（第１孔５３）に挿通される操作部４２０と、本体１０の前後方向（上下方向）に沿って押釦スイッチ４０６Ａの押釦４０６０Ａと対向する押圧部４２１と、押圧部４２１と操作部４２０を連結する連結部４２２とを有している。筐体４１は、操作部４２０の周囲に配置される１つ又は複数の保護壁４５７を有している。１つ又は複数の保護壁４５７は、操作部４２０の前端（下端）と１つ又は複数の保護壁４５７のそれぞれの前端（下端）との距離Ｄ１を、押圧部４２１が押釦４０６０Ａを押操作するために必要な操作部材４２の移動距離（Ｄ２＋Ｄ３）よりも短くするように構成されている。距離Ｄ１、Ｄ２、Ｄ３は、本体１０の前後方向（上下方向）に沿った距離である。
【００４５】
非常用照明装置１Ｘ、１Ｙが上述のように構成されれば、操作部材４２が不用意に操作されても操作部材４２の移動距離が距離Ｄ１に制限され、操作部材４２の押圧部４２１に押された押釦４０６０Ａが接点を閉じる位置まで移動しない。その結果、非常用照明装置１Ｘ、１Ｙは、押釦スイッチ４０６Ａが不用意にオンされることがなく、点灯ユニット４において点検動作が誤って実行される可能性の低下を図ることができる。
【００４６】
また、非常用照明装置１Ｘ、１Ｙにおいて、複数の保護壁４５７は、本体１０の前後方向（上下方向）から見て、操作部４２０の周囲に間隔を空けて配置されていることが好ましい。
【００４７】
非常用照明装置１Ｘ、１Ｙが上述のように構成されれば、複数の保護壁４５７の間に隙間が形成されることにより、操作部４２０が意図的に操作される際、保護壁４５７が邪魔になり難くいので、操作部４２０の操作性の向上を図ることができる。
【００４８】
さらに、非常用照明装置１Ｘ、１Ｙにおいて、筐体４１は、２つの保護壁４５７を有していることが好ましい。２つの保護壁４５７はそれぞれ、本体１０の前後方向（上下方向）から見て、操作部４２０を挟んで対向する位置に配置されていることが好ましい。
【００４９】
非常用照明装置１Ｘ、１Ｙが上述のように構成されれば、操作部４２０の更なる操作性の向上を図ることができる。
【００５０】
またさらに、非常用照明装置１Ｘ、１Ｙにおいて、２つの保護壁４５７はそれぞれ、本体１０の前後方向（上下方向）から見て操作部４２０と反対側の側面が、前方（下方）に向かうに連れて操作部４２０に近付く向きに傾斜する傾斜面であることが好ましい。
【００５１】
非常用照明装置１Ｘ、１Ｙが上述のように構成されれば、本体１０にカバー５が取り付けられる際、第１孔５３の縁が保護壁４５７の側面（傾斜面）に誘導され、保護壁４５７と操作部４２０が第１孔５３にスムーズに挿通される。その結果、非常用照明装置１Ｘ、１Ｙは、カバー５が操作部４２０と接触することによる操作部材４２の誤操作を更に生じ難くすることができる。
【符号の説明】
【００５２】
１Ｘ、１Ｙ  非常用照明装置
２  光源ユニット
３  電池ユニット
４  点灯ユニット
５  カバー
９  外部電源
１０  本体
３０  電池
３１  電池ケース
４０  点灯装置
４１  筐体
４２  操作部材
５０  窓孔
５３  孔（第１孔）
４０１  充電回路
４０２  点灯回路
４０４  制御回路
４０６Ａ  押釦スイッチ
４０６０Ａ  押釦
４２０  操作部
４２１  押圧部
４２２  連結部
４５７  保護壁
Ｄ１  距離
Ｄ２＋Ｄ３  移動距離
【図１】
2017152342.tif 000003
【図２】
2017152342.tif 000004
【図３】
2017152342.tif 000005
【図４】
2017152342.tif 000006
【図５】
2017152342.tif 000007
【図６】
2017152342.tif 000008
【図７】
2017152342.tif 000009
【図８】
2017152342.tif 000010
【図９】
2017152342.tif 000011
【図１０】
2017152342.tif 000012
【図１１】
2017152342.tif 000013
【図１２】
2017152342.tif 000014
【図１３】
2017152342.tif 000015
【図１４】
2017152342.tif 000016